(57)【要約】【課題】  高温のホットコーヒを通常のストローで吸引すると、吸引されたコーヒが熱に敏感なのどを直撃しのどを火傷する。また、通常のストローでジュースを吸引する場合も舌上に分布する味蕾で十分味わうことなくのどに吸い込まれてしまう。【解決手段】図１に示す拡散機能を有する本発明のストローを用いて吸引すると、吸引された液体は吸引用穴１４から噴射し、拡散部１３に衝突してのど方向を除く全方向に飛散する。これにより、ホットコーヒの場合はのどの火傷を防止でき、且つ、熱さに対して違和感なくホットコーヒを飲食できる。また、ジュースの飲食に対しても、吸引されたジュースが舌の全域に飛散するので、舌上に分布する味蕾とほぼ一様に接触し、飲み込む際、更にのどに分布する味蕾とも接触するので、ジュースの味を十分味わうことができる。【選択図】図１
2018069046.tif 000002
【特許請求の範囲】
【請求項１】
液体飲料を飲食する際に使用する筒体のストローであって、
前記筒体の一端部に平板状の拡散部が設けられ、
前記拡散部が、前記筒体の長さ方向に対し前記筒体に対向するよう屈折された折部が設けられ、
前記筒体の前記拡散部との対向面に穴が設けられることを特徴とする拡散機能を有するストロー。
【請求項２】
前記拡散部の先端が面取りされてデザインされた形状であることを特徴とする請求項１に記載の拡散機能を有するストロー。
【請求項３】
前記拡散部の前記筒体との対向面に線状溝、線状突起、複数の穴、複数の突起が単独又は組合されて設けられることを特徴とする請求項１又は、請求項２に記載の拡散機能を有するストロー。
【請求項４】
筒体の一方の端部に筒体の内部と外部を通す穴を形成する工程と、
前記一方の端部で且つ、前記穴より更に端部をヒートプレスにより拡散部を形成する工程と、
前記拡散部を前記筒体の長さ方向に対し前記穴に対向するよう屈折された折部を設ける工程と、
を有することを特徴とする拡散機能を有するストローの製造方法。
【発明の詳細な説明】
【技術分野】
【０００１】
本発明は、人がコップ等の容器からコーヒ、ジュースなどを飲む際に使用するストローに関する。
【背景技術】
【０００２】
ジュースなど飲料の飲食には、図１０に示される直胴ストロー４１や、屈曲可能な蛇腹４３を有する屈曲ストロー４２が使用される。直胴ストロー４１はポリプロピレンなどの押し出し成型で作成される断面円形の直筒ストローで、外形６ｍｍ程度のものが最も一般的である。屈曲ストロー４２は直胴ストロー４１の一部に蛇腹４３を設け、使用の際、蛇腹を屈曲させて飲食容易な角度に調整できる。
【０００３】
一般に人は味蕾によって味を知覚すると言われる。図７は人の口腔内を模式的に説明する口腔内味蕾の分布説明図である。口腔内３０は上あご３５、下あご３６、唇３７、右ほほ３２、左ほほ３３、舌３１、のど３４からなり、味蕾３８ａ〜３８ｅは舌３１と、のど３４に存在する。また、味蕾の約２／３は舌３１に存在し、残る１／３が口の奥に位置するのど３４（正確には、のど頭蓋や軟口蓋、のど頭）に存在することが知られている。更に舌上に存在する味蕾は舌先３８ａ、舌右側面３８ｂ、舌左側面３８ｃ、舌奥３８ｄに分布しており、舌３１の中央部には味蕾は存在しない。
人がコーヒやジュースの味覚を口腔内で味わう行為は、これら飲料を舌上に存在する味蕾３８ａ〜３８ｄに接触させる行為と言える。
【０００４】
図１４は飲食者がコップ４５の中の液体飲料４７を屈曲ストロー４２の上端部を口腔内に挿入して吸引する様子を示している。吸引する屈曲ストロー４２の吸込部４４の形状は円筒を切断した単純な円形であるため、ストローで吸引された液体飲料は矢印方向に吸引され、上あご３５に若干接触するだけで、舌先３８ａ、舌右側面３８ｂ、舌左側面３８ｃに分布する味蕾と接触することなく直接のど３４まで誘引される。即ち、飲食者はこれら飲料を十分味わうことなく飲食することになる。他方、文献１には、管体に吸い込まれた液体が、口腔内で直接のどに向かって勢いよく噴射されることのないストローの発明が開示されている。図１１、図１２は文献１の発明として開示されたストローの構成である。図１１はストロー管体の端面がシール部１９で閉鎖され、側面に開口穴１７が設けられたストローで、液体は開口穴１７と垂直方向に噴射され直接のどに吸引されることはない。
【０００５】
また図１２は側方に設けられた開口部１８が単純な穴でなく、ストロー内にもガイドが設けられ、管体内部から外部への流通口をもつ構成になっている。この場合も液体は開口部１８と垂直方向に噴射するので、直接のどに吸引されることはない。しかし、これら図１１、図１２の発明では、吸引される飲料の口腔内での噴射方向は特定の方向でしかなく、舌上に分布する味蕾３８ａ〜３８ｃの全てと均一に接触させることは困難である。
【先行技術文献】
【特許文献】
【０００６】
【特許文献１】特開２００４−２４４０８
【発明の概要】
【発明が解決しようとする課題】
【０００７】
ジュースなどの低温飲料が、ガラス、プラスチック、紙などのコップで提供される場合、容器の淵に唇を直接接触させて飲食すことは、必ずしもマナーに叶った行儀作法とは考えられておらずストローを使用することが、はた目にもスマートであり一般的である。しかし、ホットコーヒの飲食ではストローの使用は困難である。理由は高温のホットコーヒをストローで吸引すると、吸引されたコーヒが熱に敏感なのどを直撃してしまう。通常は反射的に起こる人間の拒絶反応動作により吸引動作は中断されるが、吸引動作の中断が間に合わず誤って吸引してしまうとのどを火傷するからである。
【０００８】
従って、コンビニ、ファーストフード店や、車内販売などで提供されるカップ入りのホットコーヒの飲食では、飲食者は容器フタに唇を直接接触させ、唇と舌先で少量ずつ口腔内に流し込み十分冷却させた後に食道まで誘引する動作を自然に行っている。容器フタの吸込み口は、人が口先で吸い込み易くするための形状的な工夫はされているが、ストローを使用して吸引する動作に比べれば飲み難いことは明白である。
【０００９】
引用文献１の発明では、飲料の味を堪能することを目的にストローの端面を封止し、側面に開口部を設け、口腔内への噴射方向をストローの長さ方向以外の方向に誘導している。しかしこの構成のストローでもホットコーヒは口腔内の特定箇所に集中して噴射されるので、熱さは緩和されずホットコーヒの飲食は困難である。また、引用文献１のストローでジュース類を飲食する場合も吸引した飲料は特定方向にしか噴射されないので、口腔内の味蕾との接触は不十分で、ジュースの味覚を十分味わうことは困難である。
【課題を解決するための手段】
【００１０】
請求項１に記載の発明は、ホットコーヒや冷却されたジュースなどの液体飲料を飲食する際使用される筒体のストローである。筒体の一端部には平板状の拡散部が設けられる。拡散部は筒体端部をヒートプレスして平板に成型しても、或いは、筒体と同じ熱軟化性樹脂材料を一体に成型して平板としてもよい。
前記拡散部は、筒体との境界を折部として筒体と対向するよう９０度以上屈折させて成型される。この時の屈折角度は９０度〜１８０度の範囲で調整される。従って拡散部は筒体の一部を覆い、筒体と対向するように屈折する。また、拡散部に覆われる筒体の表面（拡散部との対向面）には筒体内部に連通する吸引用穴が設けられる。
本発明により、人が本ストローを口腔内に挿入し、液体飲料を吸引すると、液体飲料は吸引用穴から吸引され、拡散部で一様に飛散されて舌の全領域に噴射される。
【００１１】
請求項２に記載の発明は、拡散部の先端がヒートプレスにより面取りされて成型された形状、或いは、面取りを兼ねてデザインされた形状である。筒体を平面状にヒートプレスするとヒートプレス部は長方形状になって角が形成されるが、面取りした形状のヒートプレス板や様々な形状のヒートプレス板を用いることで、容易に目的形状に成型できる。
【００１２】
本発明により、少なくとも拡散部の角は面取りされて消失するので、口腔内に挿入されて使用される際、拡散部の角で口腔内が傷つけられることはない。また、拡散部は液体の拡散方向を制御するため単純な平面でなく、様々な形状にデザインできる。更に、拡散部は、動物の顔、花、富士山、アニメキャラクターなど様々にデザインでき、子供や大人の興味を引き付けることでストローの商品価値を高めることもできる。
【００１３】
請求項３に記載の発明は、拡散部の筒体との対向面に線状溝又は線状突起が設けられるので、吸引動作に吸引用穴より吸引される飲料は拡散部表面に衝突して飛散する際、線状溝や線状突起に誘導されるので、線状溝や線状突起方向に飛散量を集中させたり、分散させることができる。或いは、拡散部の筒体との対向面に複数の穴や突起が設けられるので、吸引用穴より吸引される飲料の一部を拡散板に反射させることなく直接口腔内に放出させたり、口腔内に広く拡散させることができる。
また、線状溝や線状突起と複数の穴や突起が任意に組み合わされて設けられた場合には、それぞれの効果を合わせ持たせることができる。
【００１４】
請求項４に記載の発明は、熱軟化性の筒体を用いた拡散機能を有するストローを製造する方法の発明で、次の（１）〜（４）の工程を含んで製造される。
（１）周知の押出成型機を用い、周知の方法で所定の長さ（通常は１００〜２５０ｍｍ）に切断された筒体を作成する。
（２）筒体の端部から所定の長さの位置に、筒体の内部と外部を通す穴を形成する。この場合、所定の長さを「所定の長さ＝拡散部長さ−筒体外径寸法」とすることを標準とするが、必ずしもこれに拘束される必要はなく、必要に応じて自由に設定してよい。
【００１５】
（３）筒体の拡散部とする部分をヒートプレスする。平板のヒートプレス板を用いると筒体は平板に成型される。この時、ヒートプレス温度を樹脂の溶融温度付近に設定すれば、筒体内面は溶融接着して一体化されるが、樹脂の溶融温度まで上昇させなくてもヒートプレスによる成型は可能である。また、ヒートプレス板として、面取り可能な形状等、平面以外の様々な形状にデザインされたヒートプレス板を使用してもよい。
【００１６】
（４）筒体と拡散部の境界を折部とし、筒体に作成した穴を内側にして拡散部を９０度以上屈折させる。屈折作業には折部を樹脂の軟化温度に加熱できるプレス装置を使用する。なお、本屈折工程は（３）のヒートプレスと同時に実施してもよい。
本発明により、拡散機能を有するストローを容易に製造することができる。
【発明の効果】
【００１７】
拡散機能を有する本発明のストローを用いて高温のホットコーヒを飲食する場合、飲食者は吸引によりストロー内を上昇するコーヒがストローをくわえた唇部分に到達する時点で、まず唇がストロー壁を介して飲料の温度を体感できる。吸引者はこの時の体感温度に応じて吸引量を反射的に調整できる。吸引動作によりコーヒは吸引用穴から噴射し、吸引用穴を覆って屈折されている拡散部に衝突し口腔内に飛散する。これにより、コーヒは口腔内の舌の全域と、ほほの内壁に一様に広く分散する。また、分散と同時に舌及び口腔内皮膚と接触し、接触する舌や口腔内皮膚に急速に熱を奪われて皮膚温度に近づくので、適量ずつ吸引しながらのどに導くことができる。従って、本発明のストローでは口腔内皮膚の一部が集中して熱刺激を受けることも口腔内が火傷を負うことも無く、違和感なくホットコーヒを飲食できる。
【００１８】
他方、本発明のストローを用いてジュースなどの低温飲料を飲食する場合、吸引用穴で吸引された飲料は、吸引用穴を覆って屈折されている拡散部に衝突して口腔内に広く飛散する。これにより、飲料は舌上に分布する全ての味蕾と一様に接触し、更に飲み込む際、のどに分布する味蕾とも接触するので、飲食者はジュースの味覚を舌とのど越しの２度に渡り十分味わい尽くすことができる。
【００１９】
また、市販されている紙パックのジュースや牛乳などの飲料では、ストローを挿入した状態で誤って紙パック本体部を押すと、ストロー先端から内部の飲料が噴射し、衣服を汚すことがよくある。小さい子供の場合は日常茶飯事である。しかし、本発明のストローが紙パックに挿入して使用された場合、誤って紙パック本体部を押し内部の飲料を噴射させた場合であっても飲料は殆ど押した手の表面に噴射される。従って、誤って紙パック本体を押したり、掴んだりしても衣服を汚損する可能性は通常のストローに比べ格段に小さい。
【図面の簡単な説明】
【００２０】
【図１】本発明のストローの概観図
【図２】本発明のストローの平面図と側面図
【図３】拡散部構造の変形例
【図４】拡散部の拡散効果可視化装置
【図５】液体の衝突飛散方向
【図６】衝突後の飛散エリア
【図７】口腔内味蕾の分布説明図
【図８】紙コップでの使用
【図９】紙パックでの使用
【図１０】従来ストロー
【図１１】側面に開口部を有するストロー
【図１２】管体内部から外部への流通口をもつストロー
【図１３】先行技術ストローの液体の噴射方向
【図１４】飲食者の吸引状況説明図
【図１５】内側折り曲げ穴を有するストロー
【図１６】線状溝又は線状突起を有する拡散部
【図１７】複数穴又は複数突起を有する拡散部
【図１８】吸引圧力測定具
【図１９】吸引時間測定装置
【図２０】吸引時間測定結果
【発明を実施するための形態】
【００２１】
＜本発明のストローの構成＞
まず、本発明のストローの構成について説明を行うが、ここに記述する構成は本発明の構成の一例に過ぎずこれに限定されるものではない。
図１、２は拡散機能を有する本発明のストローの概観で、外径Ｒは約６ｍｍ、長さＬは約２１０ｍｍ、肉厚０．１６ｍｍであり、折部１５より約４８ｍｍの位置に長さ約８ｍｍの蛇腹１２が設けられるが、蛇腹１２は必須要件ではなく、無くてもよい。
【００２２】
また、拡散部１３の長さＭは約９ｍｍで、吸引穴１４の穴直径Ｄは３〜５ｍｍで、折部１５からの穴の中心位置Ｐは約６ｍｍである。吸引穴１４の形状は円、楕円、三角、四角、星形、任意の多角形の何れであってよい。穴１４の個数も１つである必要はなく２つ以上の複数個であってよい。また、穴のサイズも３〜５ｍｍに限定されず、５ｍｍ以上、３ｍｍ以下であってもよく、複数個とする場合は３ｍｍ以下の穴が含まれてよい。
【００２３】
＜本発明のストローの製造方法＞
次に本発明のストローの作成方法について説明するが、ここに記述する方法は本発明のストローの作成方法の一例に過ぎず、使用する原材料も含め、これに限定されるものではない。
ストローの原材料となるポリプロピレンを溶融させ、ダイスの先端から押出成型で円筒状チューブに成型する。次いで円筒チューブをカッターを用い約２２０ｍｍの長さに切断する。次いでストローの端部より約５０ｍｍの位置に周知の蛇腹形成方法で約１０ｍｍ長さの蛇腹を形成する。蛇腹形成によりストローの長さは約２１０ｍｍになる。次いでストローの端部より約１５ｍｍの位置に直径Ｄが３〜５ｍｍの吸引穴１４をパンチングや、熱で溶融させる等の方法により形成する。なお、穴の形成方法として、吸引穴が筒体の一部に切込み部を設け、切りこみ部を筒体内部に折り曲げて形成される穴であってもよい。図１５に内側折り曲げ穴を有するストロー５０を示す。内側折曲部５１は穴の中心を中心としてカッターで放射状にカット線を形成させた後、穴と略同一サイズの熱した棒を挿入することで容易に形成することができる。
次いでストロー端部より９ｍｍの範囲をヒートプレス金型で数秒間ヒートプレスして拡散部１３を形成する。
【００２４】
拡散部１３を変形させた変形拡散部は図３に示すような内側に湾曲させた形状１３ａ、外側に曲面させた１３ｂ、水平方向に溝を形成させた１３ｃ、平板の角を面取りした１３ｄ、動物の顔をデザインした１３ｅ、花をデザインした１３ｆ、富士山をデザインした１３ｇなど、目的に応じた専用のヒートプレス金型を使用して形成できる。
また、拡散部の筒体との対向面には、図１６に示すように線状溝又は線状突起５４を形成させることができる。線状溝又は線状突起５４はヒートプレス金型のヒートプレス面に溝形状や線状突起に対応する凸部または凹部を設けることで、容易に形成できる。また、図１７に示すような複数穴又は複数突起５６を形成させることができる。この場合ヒートプレス金型には複数穴又は複数突起５６を形成させるための複数突起又は複数窪みを設ける必要がある。なお、図示は割愛するが、線状溝、線状突起、複数穴、複数突起は任意の組み合わせ、任意の割合で形成させることができる。
次いで、拡散部１３をヒートプレス法でストロー直胴部１１の軸方向に対し９０度以上屈折成型する。図１、２ではヒートプレス板を用い、約１２０度に屈折させている。なお、この屈折工程は、直前に実施する拡散部１３の形成工程と同時に実施することもできる。屈折工程を終了させて本発明のストロー１０の製作は完了する。  
【００２５】
＜本発明のストローの流れの可視化＞
本発明のストローを用いて液体を吸引する場合における拡散部１３の機能を確認するため、図４に示す拡散部の拡散効果可視化装置を用い、吸引時におけるストロー内及び、ストロー外に吸引される液体の流動運動状態を観察した。図４に於いて、水４６を収容するコップ４５に本発明のストロー１０を挿入する。この時、本発明のストロー１０は吸引シリンダ２４に設けられたストロー挿入穴２９に機密に挿入されている。吸引シリンダ２４は透明プラスチックで作成された容器で、内部が容易に目視観察できる。吸引シリンダ２４の上部には吸引口２５が設けられ、ストローを吸引する要領で吸引方向２６に吸引できる。吸引時の観察は、図１、図１１、図１２に示す全てのストローで実施した。本発明のストロー１０以外のストローは、何れも図１３に示すように、開口穴１７からのみ噴射し、噴射方向は穴と垂直方向のみであった。
【００２６】
本発明のストロー１０は図５に示すように、吸引用穴１４穴から、穴面に垂直となる吸引方向２６で噴射し、拡散部１３に反射点２７で衝突し、反射方向２８に飛散して拡散する状況が観察された。拡散部１３の正面方向から観察すると、飛散方向は図６に示す飛散領域２３に示すように、折部１５を除くほぼ全域に広がることが確認された。本可視化実験では詳細は割愛するが、拡散部１３の屈折角度や、穴１４の位置、穴１４の個数など、図３に示す様々な拡散部構造を適用することで拡散状態を様々にコントロールできることも確認できた。
【００２７】
＜実験１：ホットコーヒの飲食実験＞
ホットコーヒを飲食する場合の本発明のストロー１０と、通常のストロー（屈曲ストロー４２）との違いを３人のモニターを用いて感応試験により評価した。モニターには熱いコーヒをストローで飲むとのどを火傷するとの先入観が働き、この先入観を払拭しないと正しい評価が困難なため、本発明のストロー１０の感応試験では、本発明のストロー１０の使用をある程度習熟させた後に実施した。
実験は図８に示すようにコンビニで市販されている蓋付紙コップ２１に収容された温度７８℃〜８０℃のホットコーヒ２２を本発明のストロー１０で飲食する場合と、通常のストローで飲食する場合の違いについて感想を聞く方法で実施した。
３人のモニター間の違いは僅かであり、概ね次に集約できた。
【００２８】
（１）通常のストローは、ごく僅かずつ慎重に飲めば、ストローでも飲めるが、味わいながらの飲食は困難。本発明のストローではコーヒが唇や両ほほ方向に流れるのが実感でき、のどを火傷するとの不安はないので、ストローなしでコップから直接飲む場合と同等以上の量のコーヒを吸引することができる。
（２）本発明のストロー１０を用いてホットコーヒを飲む場合、熱さに対する配慮や味を楽しむ点に関しては、コップから直接飲む場合と同等であるが、コップを傾斜させる必要がなく、快適且つ、スマートに飲食できる。
【００２９】
＜実験２：オレンジジュースの飲食実験＞
氷入りオレンジジュースの飲食について、実験１と同じ３人のモニターにより、実験１に引き続き実施した。３人のモニターの感想はほぼ同一で次の通りであった。
（１）吸引に対する感触は、本発明のストロー１０と通常のストローとに差異はないが、強く吸引したとき本発明のストロー１０ではオレンジジュースが口腔内一杯に広がるが、通常のストローではのどに直接吸い込まれ、味わう余裕もなく一機に飲み終えてしまう。オレンジジュースの味を味わう点では本発明が優れる。
【００３０】
＜実験３：紙パック把持実験＞
野菜ジュースの入った紙パックの飲食について、次の実験を行った。
（１）図９に示すように、野菜ジュースの入った紙パック２０に本発明のストロー１０を挿入し、紙パック２０の側面を指で押し、野菜ジュースを飛び出させる実験を行い、次いで、通常のストロー（屈曲ストロー４２）に差し替え、紙パック２０の側面を指で押す実験を行った。本発明のストロー１０では、噴射した野菜ジュースはストローを伝って下方に流下し、手や指を汚した。しかし、通常のストローでは、野菜ジュースは上方に飛び出し、押さえる力が大きいときは周囲を汚した。
【００３１】
（２）紙パックの飲食では、飲み終わった後紙パックをゴミ箱に捨てる際、ストロー内に残留する僅かな液体が、紙パックを掴んだ瞬間に勢いよく噴射することが稀にある。この状況を再現した実験では、通常のストローが野菜ジュースを勢いよく上方に飛散させたのに対し、本発明のストロー１０はストローを伝って下方に噴射し手を汚すに留まった。
【００３２】
＜実験４：拡散板の拡散効果確認実験＞
（１）人の吸引圧力の測定
拡散板の拡散効果確認実験を実施するためにまず、図１８に示す吸引圧測定器
を用いて人の吸引圧力を測定する。吸引圧力測定具５７は両端が閉鎖された密
閉管５９に真空計６５と、ストロー４２を取付けたもので、吸引力の測定では
はこのストロー４２を口にくわえて吸引し、この時の吸引圧力を真空計６５で
読み取る。測定結果に個人差が認められるものの概ね次のようであった。
限界吸引力：-0.018 ＭＰａ
強い吸引  ：-0.012 ＭＰａ
通常の吸引：-0.005 ＭＰａ
弱い吸引  ：-0.003 ＭＰａ
【００３３】
（２）吸引時間測定装置
図１９は吸引時間測定装置であり、拡散部の拡散状況を可視化できる装置でも
ある。吸引時間測定装置６０は減圧装置６１と、圧力調整弁６２と、バッファ
タンク６３と、電磁弁６７と、真空計６５と、可視化容器６６が配管６４で一
体に接続され、可視化容器６６の下端部に計測対象となる本発明のストロー１
０がセットされる。ストロー１０の先端部は、水７１が収容されている容器７
０に浸漬される。カメラ７２はストローの拡散部で吸引された水が拡散される
状況を撮影するためのものである。本装置の使用に先立ち、まず、可視化容器
６６のストロー挿入部をテープなどで封鎖し、減圧装置６１と電磁弁６７を作
動させて配管６４を減圧する。このとき真空計６５が示す真空度が希望する真
空度になるよう圧力調整弁６２の開閉度を調整する。次の（３）に述べる測定
では、人の通常の吸引圧力に該当する-0.005 ＭＰａに設定している。以上によ
り圧力設定弁による圧力設定を終了させ、次いで、可視化容器６６底部のテー
プを剥がし、評価対象となる本発明のストロー１０を挿入する。また、所定量
の水７１を入れ容器７０に本発明のストロー１０の先端を浸漬させ吸引時間測
定装置６０を作動させる。この時、所定体積の水を吸引するに要する時間を計
測する。また、吸引中の拡散部による水の拡散状況をカメラ７２で撮影する。
【００３４】
（３）吸引時間測定実験
図２に示す吸引用穴１４の穴径Ｄと、拡散部長さＭの２要因について、表１に示す９種類のサンプルを作成し、吸引時間測定装置６０を用い８６ｍｌの水を吸引するに要する時間の測定を行った。結果は表１に示す通りであった。この実測データについて分散分析を行ったところ表２に示す通り、Ｄ寸法もＭ寸法も吸引時間に対し有意であることが判明した。Ｍ寸法をパラメータにしたＤ寸法と吸引時間の関係は図２０に示す通りであった。
また、Ｄ寸法が大きく、Ｍ寸法が小さい場合、吸引用穴１４から吸引された水の一部は反射部に衝突することなく吸引されることも確認された。
【表１】
2018069046.tif 000003
【表２】
2018069046.tif 000004
【産業上の利用可能性】
【００３５】
拡散機能を有する本発明のストローは吸引によりのどを詰まらせる危険がなく、幼児や病人でも安心して使用できる。拡散機能を有するストローの構成は通常の飲食で使用されるストローのみでなく、ストローの内径寸法を適正化すれば、幼児用の吸引チューブ付コップや、手の不自由な方がスープや流動食を飲食する場合にも使用できる。
【符号の説明】
【００３６】
１０  本発明のストロー
１１  直胴部
１２  蛇腹
１３  拡散部
１３ａ〜１３ｆ  変形拡散部
１４  吸引用穴
１５  折部
１６  先端解放部
２０  紙パック
２１  紙コップ
２２  ホットコーヒ
２３  飛散領域
２４  吸引シリンダ
２５  吸引口
２６  吸引方向
２７  反射点
２８  反射方向
２９  ストロー挿入穴
３０  口腔内
３１  舌
３４  のど
３８ａ〜３８ｅ  味蕾
４２  屈曲ストロー
４５  コップ
４６  水
５０  内側折り曲げ穴を有するストロー
５１  内側折曲部
５３  線状溝又は線状突起を有する拡散部
５４  線状溝又は線状突起
５５  複数穴又は複数突起を有する拡散部
５６  複数穴又は複数突起
５７  吸引圧力測定具
５９  密閉管
６０  吸引時間測定装置
６１  減圧装置
６２  圧力調整弁
６３  バッファタンク
６４  配管
６５  真空計
６７  電磁弁
７１  水
７２  カメラ
【図１】
2018069046.tif 000005
【図２】
2018069046.tif 000006
【図３】
2018069046.tif 000007
【図４】
2018069046.tif 000008
【図５】
2018069046.tif 000009
【図６】
2018069046.tif 000010
【図７】
2018069046.tif 000011
【図８】
2018069046.tif 000012
【図９】
2018069046.tif 000013
【図１０】
2018069046.tif 000014
【図１１】
2018069046.tif 000015
【図１２】
2018069046.tif 000016
【図１３】
2018069046.tif 000017
【図１４】
2018069046.tif 000018
【図１５】
2018069046.tif 000019
【図１６】
2018069046.tif 000020
【図１７】
2018069046.tif 000021
【図１８】
2018069046.tif 000022
【図１９】
2018069046.tif 000023
【図２０】
2018069046.tif 000024